(57)【特許請求の範囲】
【請求項１】
一対のガイド孔を設けた平面基板と、前記一対のガイド孔にガイドされて移動する左右一対の対物レンズ枠と、前記各対物レンズ枠を光軸方向に移動する駆動体と、前記駆動体と前記平面基板の同一面側に設けた操作部材を備えてなる双眼鏡における近接物景観察用輻輳補正機構であって、前記一対のガイド孔は、前記各対物レンズ枠が近接物景側に移動されるにしたがい互いの接近方向へ案内するよう一端側に向けて互いの間隔が徐々に狭まる傾斜部を有し、前記各対物レンズ枠は、前記駆動体に前記光軸と直角方向へ変位可能に連繋され、前記駆動体が前記操作部材により前記光軸方向に進退するようになしたことを特徴とする双眼鏡における近接物景観察用輻輳補正機構。
【請求項２】
前記各対物レンズ枠にそれぞれ連結部材を設け、前記各対物レンズ枠は、前記平面基板にこれを挟持するようにしてガイド孔に係合された前記連結部材を介して支持され、前記駆動体は全体が前記平面基板と平行に延びる板状で、その一端に形成した左右に延びる一対の腕部で前記各対物レンズ枠の連結部材に連繋するとともに、そのほぼ中央部に設けた突軸が操作部材たる回転体の下面に設けたカム溝と係合し、前記回転体の回転方向に応じて光軸方向に進退することを特徴とする前記請求項１記載の双眼鏡における近接物景観察用輻輳補正機構。
【発明の詳細な説明】
【技術分野】
【０００１】
本発明は、双眼鏡に関し、特に、近接物景を観察するための輻輳補正機構に関する。
【背景技術】
【０００２】
近年、展覧会等における各種展示物や、植物の花卉等の細部を詳細に観察したいとの要望があるが、一般の双眼鏡ではこの要望に応えることは困難であった。すなわち、一般の双眼鏡は遠方物景の観察に使用されるため、無限遠から数十メートル先の物景を観察することを基本としており、この遠方物景の場合は左右両眼で観察対象物が合致して一つの像として視認されるが、１，２メートル以内の近接物景を観察する場合は、左右両眼で観察対象物が左右に離反して合致しない二重像として視認されてしまうからである。
【０００３】
このような現象が生じるのは、双眼鏡の左右の対物レンズの光軸は、常に遠方物景に対応すべく平行に固定されており、近接物景を観察する場合は、観察対象物迄の距離に応じて前方（観察対象物方向）に繰り出される前記対物レンズの繰り出し量が、遠方物景の場合の数倍を必要とするため、観察対象物に対する調節値（合焦対象までの距離）と輻輳値（左右の視線が交差する距離）とが大きく相違するためである。そして、この相違は高倍率の双眼鏡ほど顕著となる。例えば１０倍の倍率の双眼鏡では、前記相違は肉眼の１０倍にも達し、１メートル先の観察対象物では、肉眼で１０センチメートル先の物を見るのと同様となるので、この状態における正確な観察は実際上不可能である。
【０００４】
これを改善するには、輻輳値を調節値に合うよう補正すれば良いことになる。従来においてもこの輻輳補正を行なうために、近接物景を観察する場合に左右の対物レンズを光軸と直交方向に互いに接近するよう移動させる機構が提案されている。そして、この従来提案された機構には、大別して２つの方式がある。
【０００５】
第１の方式は、対物レンズ枠に上方で連繋する光軸と平行に延びるガイド軸と、対物レンズ枠に下方で連繋する光軸に対して所定角度で傾斜するガイド溝とにガイドされて、対物レンズ枠が光軸方向に移動するとともに、対物レンズ枠が前記ガイド軸を中心に回動しつつ、互いの接離方向に前記ガイド溝にガイドされて移動する、対物レンズが回動する方式である（特許文献１，２）。
【０００６】
また、第２の方式には、対物レンズ枠を、上方の光軸に対して所定角度で傾斜するガイド棒と、下方の光軸に対して所定角度で傾斜する補助棒に、それぞれ連繋する一方、対物レンズ枠を光軸方向にのみ連動するようピント軸に連繋し、このピント軸の動作に応じて、対物レンズ枠を前記ガイド棒及び補助棒でガイドして、光軸方向及び互いの接離方向に移動する構成（特許文献３）と、対物レンズ枠を鏡筒内に納めた対物レンズ筒に配置し、対物レンズ筒に設けた光軸方向に垂直な方向に延びるガイド孔と、鏡筒に設けた光軸に対して所定角度で傾斜するガイド孔に、対物レンズ枠のピンを突入させる一方、対物レンズ枠を光軸方向にのみ連動するようピント軸に連繋し、このピント軸の動作に応じて、対物レンズ枠を前記各ガイド孔でガイドして、光軸方向及び互いの接離方向に移動する構成（特許文献３）がある。
【先行技術文献】
【特許文献】
【０００７】
【特許文献１】特許第４２０６０４６号公報
【特許文献２】特許第４１５７４８０号公報
【特許文献３】特許第３１９６６１３号公報
【発明の開示】
【発明が解決しようとする課題】
【０００８】
しかしながら、上記第１の方式によると、対物レンズ枠が互いの接離方向に移動する際、上方のガイド軸を中心に回動して、光軸が上下にずれてしまうという、光学的な難点がある。また、対物レンズ枠の上下に、それぞれガイド部材を配置するので、構造が複雑になり、製品の小型化において容積的に不利となる。
【０００９】
また、上記第２の方式によると、ガイド棒及び補助棒を用いる構成では、鏡筒内に配置する部品が多くなって構造が複雑になる一方、ガイド孔を用いる構成では対物レンズ枠、対物レンズ筒、鏡筒の三重構造になって、複雑化、大型化するという不都合がある。さらに、上記第２の方式では、ガイド機構の構成と対物レンズ枠を移動させる駆動機構とが、互いに関連なく別個に構成され、駆動機構であるピント軸と対物レンズ枠は光軸方向にのみ連動し、対物レンズ枠の回動方向にはフリー状態になっているので、対物レンズ枠の移動にともなう回動を、完全に阻止することはできないという不都合がある。
【００１０】
本発明は、上述の第２の方式のガイド孔を用いる構成を改良して、上述した不都合を解消し、簡単な構成で、確実な輻輳補正を可能にし、双眼鏡の近接物景の観察を実現した輻輳補正機構を提供することを目的とする。
【課題を解決するための手段】
【００１１】
前記目的を達成するために、本発明の双眼鏡における近接物景観察用輻輳補正機構は、一対のガイド孔を設けた平面基板と、前記一対のガイド孔にガイドされて移動する左右一対の対物レンズ枠と、前記各対物レンズ枠を光軸方向に移動する駆動体と、前記駆動体と前記平面基板の同一面側に設けた操作部材を備えてなる双眼鏡における近接物景観察用輻輳補正機構であって、前記一対のガイド孔は、前記各対物レンズ枠が近接物景側に移動されるにしたがい互いの接近方向へ案内するよう一端側に向けて互いの間隔が徐々に狭まる傾斜部を有し、前記各対物レンズ枠は、前記駆動体に前記光軸と直角方向へ変位可能に連繋され、前記駆動体が前記操作部材により前記光軸方向に進退するようになしたものである。
【００１２】
同じく前記目的を達成するために、本発明のより具体的な第２の構成としては、前記第１の構成において、前記各対物レンズ枠にそれぞれ連結部材を設け、前記平面基板にこれを上下から挟持するようにしてガイド孔に係合された連結部材を介して支持され、前記駆動体は、全体が前記平面基板と平行に延びる板状で、その一端に形成した左右に延びる一対の腕部で前記各対物レンズ枠の連結部材に連繋するとともに、そのほぼ中央部に設けた突軸が操作部材たる回転体の下面に設けたカム溝と係合し、前記回転体の回転方向に応じて光軸方向に進退するものである。
【発明の効果】
【００１３】
本願発明の第１の構成によれば、対物レンズ枠は平面基板に形成したガイド孔に案内されて移動するので、同一平面に沿った水平移動となって回動することによる光軸のずれがなく、また、構成が簡潔で、しかも駆動体と操作部材は平面基板の同一面側に配置されるので、小型化が可能となるという効果を奏する。
【００１４】
本願発明の第２の構成によれば、上記効果に加えて、組立が簡単で、かつ、板状の駆動体を使用するので動作がより確実になるという効果を奏する。
【図面の簡単な説明】
【００１５】
【図１】本発明の一実施形態における全体構成を示す斜視図。
【図２】平面基板と駆動体及び対物レンズ枠の連繋状態を示す斜視図。
【図３】対物レンズ枠の正面図。
【図４】回転ダイアルの裏面側を示す斜視図。
【発明を実施するための最良の形態】
【００１６】
はじめに、図１〜図４に基づき本発明の好適な一実施形態を説明する。図１及び図２に示すように、図示していない双眼鏡のケーシングに固定された平面基板１には、左右一対の対物レンズ枠２，３の移動をそれぞれガイドする一対のガイド孔４，５を、左右方向の中心線に対して対称的に設けている。
【００１７】
これらガイド孔４，５は、各対物レンズ枠２，３の上側に設けた連結部材６，７を下方から挿入する四角状の挿入部４ｄ，５ｄと、これら挿入部４ｄ，５ｄから直状に、かつ互いに平行に延びる始端直状部４ａ，５ａと、互いの接近方向へ傾斜するよう延びる傾斜部４ｂ，５ｂと、これら傾斜部４ｂ，５ｂに続いて直状に、かつ互いに平行に延びる終端直状部４ｃ，５ｃとからなる。前記各始端直状部４ａ，５ａが遠方物景の観察時に各対物レンズ枠２，３が位置する部分であり、前記傾斜部４ｂ，５ｂが近接物景の観察時に各対物レンズ枠２，３が位置する部分であり、前記終端直状部４ｃ，５ｃが最近接物景の観察時に各対物レンズ枠２，３が位置する部分である。すなわち、ガイド孔４，５は、各対物レンズ枠２，３が、近接物景側に移動されるにしたがい互いの接近方向に案内するよう一端側に向けて互いの間隔が徐々に狭まるよう形成されている。
【００１８】
次に、左右一対の対物レンズ枠２，３について説明するが、これらは同一大、同一形状で左右対称に設けられたものなので、対物レンズ枠２についてのみ詳細に説明し、対物レンズ枠３については部材に付した符号を説明するに止める。図３で理解できるように、対物レンズ枠２の上側に設けた連結部材６は、前記対物レンズ枠２に一体的に固定された基部６ａと、ガイド孔４に嵌入係合される支軸６ｂと、連結凹部６ｃを有する連結板６ｄとからなる。この連結部材６は、ガイド孔４の挿入部４ｄの下方から挿入し、平面基板１を前記基部６ａと前記連結板６ｄによって上下から挟持するようにして、始端直状部４ａ方向に移動することにより、ガイド孔４に対応位置している。これによって、前記対物レンズ枠２は、前記平面基板１にガイド孔４に係合された連結部材６を介して支持された状態となる。
【００１９】
図１及び図２において、７は対物レンズ枠３の連結部材、７ｃは連結凹部、７ｄは連結板であり、対物レンズ枠３も、対物レンズ枠２と同様にして、平面基板１に、ガイド孔５に係合された連結部材７を介して支持された状態にある。
【００２０】
図２に示すように、平面基板１の連結板６ｄ，７ｄ側の面には、左右方向の中心線上に振れ止めピン８と台座９ａを備えた受け軸９を設けるとともに、前記中心線に対して対称的な位置に駆動体ガイド片１０，１１を立設している。前記台座９ａの上面は、前記各連結板６ｄ，７ｄの連結凹部６ｃ，７ｃ面と同一高さ位置にある。また、前記平面基板１の同一面側には、回転ダイアル支持片１２，１３，１４，１５を立設している。
【００２１】
同じく図２に示すように、平板状で平面形状がほぼＴ字状の駆動体１６は、第１ガイド孔１６ａ、第２ガイド孔１６ｂ、駆動ピン１６ｃ及び左右一対の駆動腕１６ｄ，１６ｅを備えている。そして、この駆動体１６は、前記第１ガイド孔１６ａが振れ止めピン８と係合し、前記第２ガイド孔１６ｂが受け軸９と係合し、後部の両側縁が各駆動体ガイド片１０，１１に摺接して、台座９ａ上に載置されている。このため駆動体１６は、左右にぶれることなく直線的に移動可能である。
【００２２】
また、前記駆動体１６の各駆動腕１６ｄ，１６ｅは、それぞれ各連結板６ｄ，７ｄの各連結凹部６ｃに相対的に摺動可能に嵌合し、前記各連結板６ｄ，７ｄは前記各駆動腕１６ｄ，１６ｅにガイドされて互いの接離方向に移動可能である。前記台座９ａの上面と、前記連結板６ｄ，７ｄの連結凹部６ｃ，７ｃ面とは、同一高さ位置にあるので、前記駆動体１６は平面基板１と平行に位置し、常に同一平面上を移動することになる。
【００２３】
図１に示すように、平面基板１の受け軸９には、中央の軸孔１７ａ（図４参照）によって操作部材たる円板状の焦点調節ダイアルである回転ダイアル１７が回転可能に支持され、この回転ダイアル１７の下面周縁は回転ダイアル支持片１２，１３，１４，１５に支持されている。この回転ダイアル１７の表面にはローレット状の指掛け部１７ｂが円周に沿って形成されている。一方、回転ダイアル１７の裏面には、図４に示すように、カム溝１７ｃが穿設され、このカム溝１７ｃに駆動体１６の駆動ピン１６ｃが突入係合している。
【００２４】
続いて、上述した実施形態の輻輳補正動作について説明する。図１に示す回転ダイアル１７を所定方向に回転すると、カム溝１７ｃに嵌合した駆動ピン１６ｃの変位に応じて、駆動体１６が光軸方向に直線的に進退する。これによって、前記駆動体１６の駆動腕１６ｄ，１６ｅに連繋された対物レンズ枠２，３も、ガイド孔４，５にガイドされつつ同方向に移動し、焦点調節動作がなされる。この焦点調節動作において、近接物景に焦点を合わせるべく各対物レンズ枠２，３が駆動体１６にともなわれて前進すると、各支軸６ｂがガイド孔４，５の各傾斜部４ｂ、５ｂから終端直状部４ｃ，５ｃに対応して、各連結部材６，７が互いの接近方向に平行に変位するので、各対物レンズ枠２，３も同方向に変位して光軸がぶれることなく輻輳補正がなされるものである。
【００２５】
なお、本発明は上述の各実施形態に限定されるものではなく、例えば、平面基板１に対する各構成要素の配置面を、上述とは反対面側にしてもよい。
【符号の説明】
【００２６】
１      平面基板
２，３      対物レンズ枠
４，５      ガイド孔
４ａ，５ａ      始端直状部
４ｂ，５ｂ      傾斜部
４ｃ、５ｃ      終端直状部
６，７      連結部材
６ａ      基部
６ｂ      支軸
６ｃ，７ｃ      連結凹部
６ｄ，７ｄ      連結板
８      振れ止めピン
９      受け軸
９ａ      台座
１０，１１      駆動体ガイド片
１２，１３，１４，１５      回転ダイアル支持片
１６      駆動体
１６ａ      第１ガイド孔
１６ｂ      第２ガイド孔
１６ｃ      駆動ピン
１６ｄ，１６ｅ      駆動腕
１７      回転ダイアル
１７ａ      軸孔
１７ｂ      指掛け部
１７ｃ      カム溝
【図１】
0005555513.tif 000002
【図２】
0005555513.tif 000003
【図３】
0005555513.tif 000004
【図４】
0005555513.tif 000005